(57)【要約】【課題】  癌の転移の有無の診断法および転移癌の治療薬の提供。【解決手段】  被検試料中のGPC3タンパク質を検出することを特徴とするユーイング肉腫原発巣、ユーイング肉腫転移組織、メラノーマ転移組織および肝癌転移組織から選ばれる癌の診断方法および治療薬。【選択図】なし【特許請求の範囲】
【請求項１】
被検試料中のGPC3タンパク質を検出することを特徴とするユーイング肉腫原発巣、ユーイング肉腫転移組織、メラノーマ転移組織および肝癌転移組織から選ばれる癌の診断方法。
【請求項２】
GPC3タンパク質の検出が、抗GPC3抗体を用いる免疫学的検出である請求項１記載の診断方法。
【請求項３】
被検試料が、血液、血清または血漿である請求項１または２記載の診断方法。
【請求項４】
GPC3タンパク質検出試薬を含有することを特徴とするユーイング肉腫原発巣、ユーイング肉腫転移組織、メラノーマ転移組織および肝癌転移組織から選ばれる癌の診断薬。
【請求項５】
GPC3タンパク質検出試薬が、抗GPC3抗体を含む試薬である請求項４記載の診断薬。
【請求項６】
抗GPC3抗体を含有することを特徴とする、ユーイング肉腫原発巣、ユーイング肉腫転移組織、メラノーマ原発巣、メラノーマ転移組織および肝癌転移組織から選ばれる癌の治療薬。
【発明の詳細な説明】
【技術分野】
【０００１】
本発明は、ユーイング肉腫原発巣、ユーイング肉腫転移組織、メラノーマ転移組織および肝癌転移組織から選ばれる癌の診断方法ならびに上記組織およびメラノーマ原発巣の治療薬に関する。
【背景技術】
【０００２】
癌は、日本における死亡原因疾患の１位（３０．３％）の座にあり、他の疾患、心疾患（１５．３％）、脳疾患（１５．２％）による原因疾患を大きく引き離している。一方、癌は多くの、あらゆる臓器において発症し、原発巣の病態進行により各種臓器への転移がみられる。
【０００３】
原発巣臓器における癌は、各種診断方法の開発および診断による早期発見が可能となったことから、早期治療に繋がり延命がなされるようになってきた。しかしながら、各種診断および治療方法の開発にも関わらず、原発巣からの転移により治療に困難を来たし、死に至る場合が多々見られる。例えばユーイング肉腫の場合、診断時に遠隔転移のある症例では、転移のない症例と同じ治療を行っても、その予後は極めて不良である（非特許文献１）。
【０００４】
ユーイング肉腫は骨腫瘍の特殊なタイプである。一般に思春期の急激な骨の成長中に発するが、１０才以下の小児では稀である。欧米におけるユーイング肉腫患者の５年生存率は約６０％、国内における５年生存率は４４.２％である。腫瘍は手足の長幹骨、特に大腿骨または骨盤に多く発症するが、頭蓋骨、胴の扁平な骨でもみられる。主な臨床症状は、痛みと腫瘍部位の腫脹である。また、発熱が伴う場合は悪い予後の兆候だと考えられている。肺や他の骨に簡単に転移し易く、診断時に約3分の1の患者で転移が認められる。予防法はなく、診断方法としては、Ｘ線、CTスキャンおよび生検があるが、特異的な診断方法はない。治療は化学療法、放射線療法および外科的切除（原発巣および手足の切除を含む）が行われるが、一般的に予後が悪く、腫瘍の体積が１００mL未満の症例で3年無病生存率が７１％は、１００mL以上の症例で3年無病生存率が３１％と致命的である。
【０００５】
癌の転移はほぼ全ての癌種でみられるが、特に悪性リンパ腫、肺癌、乳癌等で多く、肝臓、肺、リンパ節、副腎、骨および骨髄などへの転移がみられる。
肝癌においては、肺、リンパ節、腹膜、副腎、骨、および骨髄への転移が多くみられる。メラノーマにおいては、リンパ節、肺、肝臓、膵臓、心臓、腹膜、副腎、腎臓、脳などへの転移が多くみられる。
【０００６】
肝癌の診断は、AFP（アルファ型胎児性タンパク）やPIVKA IIをマーカーとする血液検査と、CTや超音波検査による画像診断法で行われる。腫瘍マーカーによる検査は、偽陰性や、他の肝疾患による偽陽性も多く、信頼性に欠ける。画像診断は、患者の状態や部位によっては、患部がみえにくい場合がある。これらの検査で肝癌と診断できない場合は、針生検で検査を行う。針生検は、出血や癌組織の拡大を促すなどの危険性がある。肝癌の治療は、肝切除、肝動脈塞栓術、穿刺療法の３つが中心である。肝切除は合併症も少なからず発生し、手術に起因する死亡率が１〜２％存在する。また、肝癌の位置や肝機能の状態により、手術ができない場合もある。肝動脈塞栓術は、完治する確立が低いため、同様の処置を反復して行う必要がある。穿刺療法としては、経皮的エタノール注入療法とラジオ波焼灼療法などがあるが、これらの治療の対象はいずれも小型癌で、癌の大きさが２センチメートル以下のものに最も効果があるとされている。
【０００７】
メラノーマの診断の確定には、腫瘍の病理組織検査が必要であるが、日本では、メラノーマの一部に直接メスを入れて皮膚生検を行った場合、転移を誘発すると考えられている為、原則としてこの診断方法は行われていない。臨床症状により診断が困難な場合は、手術で腫瘍全体を摘出して、病理組織検査を行う。メラノーマの血清診断の場合、5-S-シスチニールドーパの検査値が参考になる。転移の診断には、X線、超音波、シンチグラム、およびCTが利用される。メラノーマの治療の最も重要な点は、早期発見時に手術による外科療法を行うことである。現在では、初発病巣辺縁より数センチメートル大きい範囲を切除することが原則となっている。メラノーマに対する放射線療法は効果が上がらないことが多い。
【０００８】
一方、GPC3（グリピカン３）に関しては以下のようなことが知られている。
細胞表面上に存在するヘパラン硫酸プロテオグリカンの新しいファミリーとしてグリピカンファミリーの存在が、そしてそのファミリーのメンバーとして、６種類のグリピカン（グリピカン１、グリピカン２、グリピカン３、グリピカン４、グリピカン５およびグリピカン６）が存在することが報告されている。このファミリーのメンバーは、均一なサイズ（約60kDa）のコアタンパク質を持ち、特異的でよく保持されたシステインの配列を共有しており、グリコシルフォスファチジルイノシトール（GPI）アンカーにより細胞膜に結合している。
【０００９】
GPC3は、発生における細胞分裂やそのパターンの制御に深く関わり、血中に分泌されることが知られており、３５８番目のアミノ酸と３５９番目のアミノ酸の間で解裂を受けることが示唆されており、還元条件でＳＤＳ−ＰＡＧＥを行うと、１〜３５８番目の断片と、ヘパラン硫酸鎖が付加して巨大分子化した３５９〜５８０番目の断片に分かれる（非特許文献２）。
【００１０】
一方、GPC3遺伝子が肝癌細胞において高発現しており、GPC3遺伝子が肝細胞癌マーカーとして利用できる可能性があることが知られている。さらに、GPC3を測定することによる肝癌を診断する方法として、既に特許文献１〜３および非特許文献３が知られている。
【００１１】
さらに、非特許文献４にユーイング肉腫におけるGPC3遺伝子の発現が報告されている。また特許文献４に、GPC3遺伝子およびタンパク質がメラノーマ細胞に発現・産生されており、メラノーマの早期診断に有用であることが記載されている。
【００１２】
しかしながら、肝癌およびメラノーマの既存文献のいずれも原発巣に関するものばかりであり、それらの転移についての報告はない。すなわち、原発臓器における癌の診断および治療に関するものである。いずれの癌も転移し易い癌であり、手術治療により原発巣の癌の消失がみられても、他臓器の転移癌が消失することはない。さらに、転移癌が見落とされる場合もあり得る。
【００１３】
特許文献４において、血中GPC3高濃度メラノーマ患者の手術後、血中GPC3濃度が測定限界以下となることが記載されている。しかし、メラノーマにおいては転移症例が多く治療に困難を来たす場合が多々みられるが、この文献の場合、恐らく転移の認められない患者における原発巣のみの手術症例であると思われる。
【特許文献１】WO 03/100429
【特許文献２】WO 2004/018667
【特許文献３】WO 2004/038420
【特許文献４】WO 2005/039380
【非特許文献１】牧本敦 他. 小児科診療 67（4）:607-614, 2004.
【非特許文献２】J. Cell. Biol., 163(3):625-35. 2003
【非特許文献３】CANCER RESEARCH 64, 1-6, April 1, 2004
【非特許文献４】Int J Cancer. 2004 Jul 10;110(5):687-94.
【発明の開示】
【発明が解決しようとする課題】
【００１４】
大きく成長した転移癌の診断方法は各種存在するが、進行度が低く小さい転移癌の有無を早期診断する方法は殆どなく、メラノーマおよび肝癌については原発巣手術後における転移癌の早期診断および治療方法はなかった。特に、癌の診断時に転移が多く予後の悪いユーイング肉腫においては、早期診断と治療方法の開発が望まれている。
【００１５】
このような背景から、原発巣の手術後早期に他臓器への転移の有無を知ることは癌患者の延命および癌の完治にも結びつくことが考えられる。従って、転移の多い癌種における転移組織の早期診断方法が望まれている。
【課題を解決するための手段】
【００１６】
そこで本発明者は、肝癌、メラノーマおよびユーイング肉腫における原発巣および転移に関する早期診断方法を見出すべく種々検討したところ、生体試料中のGPC3タンパク質濃度とユーイング肉腫原発巣、ユーイング肉腫転移組織、メラノーマ転移組織および肝癌転移組織の有無との間に高い相関性があることを見出した。特にユーイング肉腫転移組織、メラノーマ転移組織および肝癌転移組織については、これらの原発癌手術後にGPC3濃度が低下した症例は転移がなく、手術後であってもGPC3濃度が高い症例は転移が生じていることから、生体試料中のGPC3タンパク質を検出すれば、これらの癌の転移の有無が診断できることを見出した。さらに、抗GPC3抗体を投与すれば、ユーイング肉腫原発巣、ユーイング肉腫転移組織、メラノーマ原発巣、メラノーマ転移組織および肝癌転移組織が治療できることも見出した。
【００１７】
すなわち本発明は、被検試料中のGPC3タンパク質を検出することを特徴とするユーイング肉腫原発巣、ユーイング肉腫転移組織、メラノーマ転移組織および肝癌転移組織から選ばれる癌の診断方法を提供するものである。
また本発明は、GPC3タンパク質検出試薬を含有することを特徴とするユーイング肉腫原発巣、ユーイング肉腫転移組織、メラノーマ転移組織および肝癌転移組織から選ばれる癌の診断薬を提供するものである。
さらに本発明は、抗GPC3抗体を含有することを特徴とする、ユーイング肉腫原発巣、ユーイング肉腫転移組織、メラノーマ原発巣、メラノーマ転移組織および肝癌転移組織から選ばれる癌の治療薬を提供するものである。
【発明の効果】
【００１８】
本発明の診断方法によれば、ユーイング肉腫原発巣、ユーイング肉腫転移組織、メラノーマ転移組織、肝癌転移組織の有無が早期に診断できる。特に、これらの癌の原発巣手術後の転移癌の有無が早期に診断できることは、転移癌の早期治療、予後管理等の点で極めて重要である。
【発明を実施するための最良の形態】
【００１９】
以下、本発明について詳細に説明する。
測定とは、定量的または非定量的な測定を含み、例えば、非定量的な測定としては、単にGPC3タンパク質（以下、単にGPC3という）が存在するか否かの測定、GPC3が一定の量以上存在するか否かの測定、GPC3の量を他の試料（例えば、コントロール試料など）と比較する測定などを挙げることができ、定量的な測定としては、GPC3の濃度の測定、GPC3の量の測定などを挙げることができる。
【００２０】
被検試料とは、GPC3が含まれる可能性のある生体から分離した試料であれば特に制限されないが、哺乳類などの生物の体から採取された試料が好ましく、さらに好ましくはヒトから採取された試料である。被検試料の具体的な例としては、例えば、血液、間質液、血漿、血管外液、脳脊髄液、滑液、胸膜液、血清、リンパ液、唾液、尿などを挙げることができるが、好ましいのは血液、血清、血漿である。又、生物の体から採取された細胞の培養液などの、被検試料から得られる試料も本発明の被検試料に含まれる。
【００２１】
本発明に用いられる被検試料としては、ユーイング肉腫患者ならびに、メラノーマおよび肝癌治療後の患者の血液、血清、血漿が特に好ましい。ここでメラノーマの治療後の患者としては、原発巣手術による外科療法後の患者が特に好ましい。肝癌治療後の患者としては、原発巣の肝切除、ラジオ波焼灼療法、エタノール注入療法、肝動脈塞栓術、持続動注化学療法等の治療後の患者が挙げられるが、根治性の高い治療後、すなわち肝切除後あるいはラジオ波焼灼療法、エタノール注入療法後の患者が特に好ましい。
【００２２】
GPC3の検出手段としては、抗GPC3抗体を用いる免疫学的検出手段が好ましい。本発明に用いられる抗GPC3抗体としては、モノクローナル抗体、ポリクローナル抗体のいずれでもよいが、モノクローナル抗体が特に好ましい。また、抗GPC3抗体としては、血液、血清、血漿を被検試料とする点から、分泌型GPC3に対する抗体、すなわち抗可溶性GPC3抗体が好ましい。さらには、抗可溶性GPC3モノクローナル抗体を用いるのが特に好ましい。以下抗GPC3モノクローナル抗体を用いた場合について詳細に説明する。一方、ポリクローナル抗体については、以下に記載のモノクローナル抗体の作製方法に準じて、公知の方法にて作製することができる。
【００２３】
１．抗GPC3モノクローナル抗体の作製
本発明で用いられる抗GPC3モノクローナル抗体はGPC3タンパク質に特異的に結合すればよく、その由来および形状を問わない。具体的には、マウス抗体、ラット抗体、ヒト抗体、キメラ抗体、ヒト型化抗体などの公知のモノクローナル抗体を用いることができる。
又、支持体に固定される抗GPC3モノクローナル抗体と標識物質で標識される抗GPC3モノクローナル抗体はGPC3分子の異なるエピトープを認識することが好ましく、部位は特に制限されない。
【００２４】
本発明で使用される抗GPC3モノクローナル抗体は、公知の手段を用いて得ることができる。本発明で使用される抗GPC3モノクローナル抗体として、特に哺乳動物由来のモノクローナル抗体が好ましい。哺乳動物由来のモノクローナル抗体は、ハイブリドーマに産生されるもの、および遺伝子工学的手法により抗体遺伝子を含む発現ベクターで形質転換した宿主に産生されるものを含む。
【００２５】
モノクローナル抗体産生ハイブリドーマは、基本的には公知技術を使用し、以下のようにして作製できる。すなわち、GPC3、可溶性GPC3またはそれらの断片ペプチドを感作抗原として使用して、これを通常の免疫方法に従って免疫し、得られる免疫細胞を通常の細胞融合法によって公知の親細胞と融合させ、通常のスクリーニング法により、モノクローナルな抗体産生細胞をスクリーニングすることによって作製できる。
【００２６】
具体的には、モノクローナル抗体を作製するには次のようにすればよい。
まず、抗体取得の感作抗原として使用されるGPC3は、HuH6、HepG２細胞株等を培養してその上清に含まれる天然のGPC3を精製することにより得られる。さらに、Lage, H. et al., Gene 188（1997）, 151-156に開示されたGPC3（MXR7）遺伝子／アミノ酸配列を発現することによっても得ることができる。すなわち、GPC3をコードする遺伝子配列を公知の発現ベクター系に挿入して適当な宿主細胞を形質転換させた後、その宿主細胞中または培養上清中から目的のヒトGPC3タンパク質を公知の方法で精製する。
次に、この精製GPC3を感作抗原として用いるが、GPC3の部分ペプチドを感作抗原として使用することもできる。この際、部分ペプチドはヒトGPC3のアミノ酸配列より化学合成により得ることもできるし、GPC遺伝子の一部を発現ベクターに組込んで得ることもでき、さらに天然のGPC3をタンパク質分解酵素により分解することによっても得ることができる。部分ペプチドとして用いるGPC3の部分および大きさは限られない。本発明においては、感作抗原として全長GPC3を用いるのが好ましい。
【００２７】
感作抗原で免疫される哺乳動物としては、特に限定されるものではないが、細胞融合に使用する親細胞との適合性を考慮して選択するのが好ましく、一般的にはげっ歯類の動物、例えば、マウス、ラット、ハムスター、モルモット、あるいはウサギ、サル、鶏等が使用される。
【００２８】
感作抗原を動物に免疫するには、公知の方法に従って行われる。例えば、一般的方法として、感作抗原を哺乳動物の腹腔内または皮下に注射することにより行われる。具体的には、感作抗原をPBS（Phosphate-Buffered Saline）や生理食塩水等で適当量に希釈、懸濁したものに所望により通常のアジュバント、例えばフロイント完全アジュバントを適量混合し、乳化後、哺乳動物に４〜21日毎に数回投与する。また、感作抗原免疫時に適当な担体を使用することもできる。特に分子量の小さい部分ペプチドを感作抗原として用いる場合には、アルブミン、キーホールリンペットヘモシアニン等の担体タンパク質と結合させて免疫することが望ましい。
【００２９】
このように哺乳動物を免疫し、血清中に所望の抗体レベルが上昇するのを確認した後に、哺乳動物から免疫細胞を採取し、細胞融合に付されるが、好ましい免疫細胞としては、特に脾細胞が挙げられる。
【００３０】
前記免疫細胞と融合される他方の親細胞として、哺乳動物のミエローマ細胞を用いる。このミエローマ細胞は、公知の種々の細胞株、例えば、P3（P3×63Ag8.653）（J. Immnol.（1979）123, 1548-1550）、P3x63Ag8U.1（Current Topics in Microbiology and Immunology（1978）81, 1-7）、 NS-1 （Kohler. G. and Milstein, C. Eur. J. Immunol.（1976）6, 511-519）、MPC-11（Margulies. D.H. et al., Cell（1976）8, 405-415）、SP2/0 （Shulman, M. et al., Nature（1978）276, 269-270）、FO（de St. Groth, S. F. etal., J. Immunol. Methods（1980）35, 1-21）、S194（Trowbridge, I. S. J. Exp. Med.（1978）148, 313-323）、R210（Galfre, G. et al., Nature（1979）277, 131-133）等が好適に使用される。
【００３１】
前記免疫細胞とミエローマ細胞との細胞融合は、基本的には公知の方法、たとえば、ケーラーとミルステインらの方法（Kohler. G. and Milstein, C.、Methods Enzymol.（1981）73, 3-46）等に準じて行うことができる。
【００３２】
より具体的には、前記細胞融合は、例えば細胞融合促進剤の存在下に通常の栄養培養液中で実施される。融合促進剤としては、例えばポリエチレングリコール（PEG）、センダイウイルス（HVJ）等が使用され、さらに所望により融合効率を高めるためにジメチルスルホキシド等の補助剤を使用することもできる。
【００３３】
免疫細胞とミエローマ細胞との使用割合は任意に設定することができる。例えば、ミエローマ細胞に対して免疫細胞を１〜10倍とするのが好ましい。前記細胞融合に用いる培養液としては、例えば、前記ミエローマ細胞株の増殖に好適なRPMI1640培養液、MEM培養液、その他、この種の細胞培養に用いられる通常の培養液が使用可能であり、さらに、牛胎児血清（FCS）等の血清補液を併用することもできる。
【００３４】
細胞融合は、前記免疫細胞とミエローマ細胞の所定量を前記培養液中でよく混合し、予め37℃程度に加温したPEG溶液（例えば平均分子量1000〜6000程度）を通常30〜60％（w/v）の濃度で添加し、混合することによって目的とする融合細胞（ハイブリドーマ）を形成する。続いて、適当な培養液を逐次添加し、遠心して上清を除去する操作を繰り返すことによりハイブリドーマの生育に好ましくない細胞融合剤等を除去する。
【００３５】
このようにして得られたハイブリドーマは、通常の選択培養液、例えばHAT培養液（ヒポキサンチン、アミノプテリンおよびチミジンを含む培養液）で培養することにより選択される。上記HAT培養液での培養は、目的とするハイブリドーマ以外の細胞（非融合細胞）が死滅するのに十分な時間（通常、数日〜数週間）継続する。ついで、通常の限界希釈法を実施し、目的とする抗体を産生するハイブリドーマのスクリーニングおよび単一クローニングを行う。
【００３６】
目的とする抗体のスクリーニングおよび単一クローニングは、公知の抗原抗体反応に基づくスクリーニング方法で行えばよい。例えば、ポリスチレン等でできたビーズや市販の96ウェルのマイクロタイタープレート等の担体に抗原を結合させ、ハイブリドーマの培養上清と反応させ、担体を洗浄した後に酵素標識第２次抗体等を反応させることにより、培養上清中に感作抗原と反応する目的とする抗体が含まれるかどうか決定できる。目的とする抗体を産生するハイブリドーマを限界希釈法等によりクローニングすることができる。この際、抗原としては免疫に用いたものを用いればよい。
【００３７】
また、ヒト以外の動物に抗原を免疫して上記ハイブリドーマを得る他に、ヒトリンパ球をin vitroでGPC3に感作し、感作リンパ球をヒト由来の永久分裂能を有するミエローマ細胞と融合させ、GPC3への結合活性を有する所望のヒト抗体を得ることもできる（特公平１−59878号公報参照）。さらに、ヒト抗体遺伝子の全てのレパートリーを有するトランスジェニック動物に抗原となるGPC3を投与して抗GPC3モノクローナル抗体産生細胞を取得し、これを不死化させた細胞からGPC3に対するヒト抗体を取得してもよい（WO 94/25585、WO 93/12227、WO 92/03918、WO 94/02602参照）。
【００３８】
このようにして作製されるモノクローナル抗体を産生するハイブリドーマは、通常の培養液中で継代培養することが可能であり、また、液体窒素中で長期保存することが可能である。
【００３９】
当該ハイブリドーマからモノクローナル抗体を取得するには、当該ハイブリドーマを通常の方法に従い培養し、その培養上清として得る方法、あるいはハイブリドーマをこれと適合性がある哺乳動物に投与して増殖させ、その腹水として得る方法などが採用される。前者の方法は、高純度の抗体を得るのに適しており、一方、後者の方法は、抗体の大量生産に適している。
【００４０】
本発明では、モノクローナル抗体として、抗体遺伝子をハイブリドーマからクローニングし、適当なベクターに組み込んで、これを宿主に導入し、遺伝子組換え技術を用いて産生させた組換え型のものを用いることができる（例えば、Vandamme, A. M. et al., Eur.J. Biochem.（1990）192, 767-775, 1990参照）。具体的には、抗GPC3モノクローナル抗体を産生するハイブリドーマから、抗GPC3モノクローナル抗体の可変（V）領域をコードするmRNAを単離する。mRNAの単離は、公知の方法、例えば、グアニジン超遠心法（Chirgwin, J. M. et al., Biochemistry（1979）18, 5294-5299）、AGPC法（Chomczynski, P.etal., Anal. Biochem.（1987）162, 156-159）等により行って全RNAを調製し、mRNA Purification Kit （Pharmacia製）等を使用して目的のmRNAを調製する。また、QuickPrep mRNA Purification Kit （Pharmacia製）を用いることによりmRNAを直接調製することもできる。
【００４１】
得られたmRNAから逆転写酵素を用いて抗体Ｖ領域のcDNAを合成する。cDNAの合成は、AMV Reverse Transcriptase First-strand cDNA Synthesis Kit（生化学工業社製）等を用いて行う。また、cDNAの合成および増幅を行うには、5'-Ampli FINDER RACE Kit（Clontech製）およびPCRを用いた5'-RACE法（Frohman, M. A.et al., Proc. Natl. Acad. Sci. USA（1988）85, 8998-9002、Belyavsky, A.et al., Nucleic Acids Res.（1989）17, 2919-2932）等を使用することができる。
【００４２】
得られたPCR産物から目的とするDNA断片を精製し、ベクターDNAと連結する。さらに、これより組換えベクターを作製し、大腸菌等に導入してコロニーを選択して所望の組換えベクターを調製する。そして、目的とするDNAの塩基配列を公知の方法、例えば、ジデオキシヌクレオチドチェインターミネーション法等により確認する。
【００４３】
目的とする抗GPC3モノクローナル抗体のＶ領域をコードするDNAを得たのち、これを、所望の抗体定常領域（Ｃ領域）をコードするDNAを含有する発現ベクターへ組み込む。
【００４４】
本発明で使用される抗GPC3モノクローナル抗体を製造するには、抗体遺伝子を発現制御領域、例えば、エンハンサー、プロモーターの制御のもとで発現するよう発現ベクターに組み込む。次に、この発現ベクターにより、宿主細胞を形質転換し、抗体を発現させる。
【００４５】
抗体遺伝子の発現は、抗体重鎖（Ｈ鎖）または軽鎖（Ｌ鎖）をコードするDNAを別々に発現ベクターに組み込んで宿主細胞を同時形質転換させてもよいし、あるいはＨ鎖およびＬ鎖をコードするDNAを単一の発現ベクターに組み込んで宿主細胞を形質転換させてもよい（WO 94/11523参照）。
【００４６】
また、組換え型抗体の産生には上記宿主細胞だけではなく、トランスジェニック動物を使用することができる。例えば、抗体遺伝子を、乳汁中に固有に産生されるタンパク質（ヤギβカゼインなど）をコードする遺伝子の途中に挿入して融合遺伝子として調製する。抗体遺伝子が挿入された融合遺伝子を含むDNA断片をヤギの胚へ注入し、この胚を雌のヤギへ導入する。胚を受容したヤギから生まれるトランスジェニックヤギまたはその子孫が産生する乳汁から所望の抗体を得る。また、トランスジェニックヤギから産生される所望の抗体を含む乳汁量を増加させるために、適宜ホルモンをトランスジェニックヤギに使用してもよい（Ebert, K.M. et al., Bio/Technology（1994）12, 699-702）。
【００４７】
本発明では、上記抗体のほかに、人為的に改変した遺伝子組換え型抗体、例えば、キメラ抗体、ヒト型化（Humanized）抗体を使用できる。これらの改変抗体は、既知の方法を用いて製造することができる。
【００４８】
キメラ抗体は、前記のようにして得た抗体Ｖ領域をコードするDNAをヒト抗体Ｃ領域をコードするDNAと連結し、これを発現ベクターに組み込んで宿主に導入し産生させることにより得られる。この既知の方法を用いて、本発明に有用なキメラ抗体を得ることができる。
【００４９】
ヒト型化抗体は、再構成（reshaped）ヒト抗体とも称され、これは、ヒト以外の哺乳動物、例えばマウス抗体の相補性決定領域（CDR; complementarity determining region）をヒト抗体の相補性決定領域へ移植したものであり、その一般的な遺伝子組換え手法も知られている（EP 125023、WO 96/02576参照）。
【００５０】
具体的には、マウス抗体のCDRとヒト抗体のフレームワーク領域（framework region；FR）とを連結するように設計したDNA配列を、CDRおよびFR両方の末端領域にオーバーラップする部分を有するように作製した数個のオリゴヌクレオチドをプライマーとして用いてPCR法により合成する(WO98/13388に記載の方法を参照)。
【００５１】
CDRを介して連結されるヒト抗体のフレームワーク領域は、相補性決定領域が良好な抗原結合部位を形成するものが選択される。必要に応じ、再構成ヒト抗体の相補性決定領域が適切な抗原結合部位を形成するように、抗体の可変領域におけるフレームワーク領域のアミノ酸を置換してもよい（Sato, K.et al., Cancer Res.（1993）53, 851-856）。
【００５２】
キメラ抗体およびヒト型化抗体のＣ領域には、ヒト抗体のものが使用され、例えばＨ鎖では、Cγ1、Cγ2、Cγ3、Cγ4を、Ｌ鎖ではCκ、Cλを使用することができる。また、抗体またはその産生の安定性を改善するために、ヒト抗体Ｃ領域を修飾してもよい。
【００５３】
キメラ抗体は、ヒト以外の哺乳動物由来抗体の可変領域とヒト抗体由来の定常領域とからなる。一方、ヒト型化抗体は、ヒト以外の哺乳動物由来抗体の相補性決定領域と、ヒト抗体由来のフレームワーク領域およびＣ領域とからなる。
【００５４】
本発明で使用される抗体は、抗体の全体分子に限られず、GPC3に結合する限り、抗体の断片またはその修飾物であってもよく、二価抗体も一価抗体も含まれる。例えば、抗体の断片としては、Fab、F（ab′）2、Fv、１個のFabと完全なFcを有するFab/c、またはＨ鎖若しくはＬ鎖のFvを適当なリンカーで連結させたシングルチェインFv（scFv）が挙げられる。具体的には、抗体を酵素、例えばパパイン、ペプシンで処理し抗体断片を生成させるか、または、これら抗体断片をコードする遺伝子を構築し、これを発現ベクターに導入した後、適当な宿主細胞で発現させる（例えば、Co, M.S. et al., J. Immunol.（1994）152, 2968-2976、Better, M. & Horwitz, A. H. Methods in Enzymology（1989）178, 476-496, Academic Press, Inc.、Plueckthun, A. & Skerra, A. Methods in Enzymology（1989）178, 476-496, Academic Press, Inc.、Lamoyi, E., Methods in Enzymology（1989）121, 652-663、Rousseaux, J. et al., Methods in Enzymology（1989）121, 663-669、Bird, R. E. et al., TIBTECH（1991）9, 132-137参照）。
【００５５】
scFvは、抗体のＨ鎖Ｖ領域とＬ鎖Ｖ領域とを連結することにより得られる。このscFvにおいて、Ｈ鎖Ｖ領域とＬ鎖Ｖ領域は、リンカー、好ましくはペプチドリンカーを介して連結される（Huston, J. S. et al.、Proc. Natl. Acad. Sci. U.S.A.（1988）85, 5879-5883）。scFvにおけるＨ鎖Ｖ領域およびＬ鎖Ｖ領域は、本明細書に抗体として記載されたもののいずれの由来であってもよい。Ｖ領域を連結するペプチドリンカーとしては、例えばアミノ酸12〜19残基からなる任意の一本鎖ペプチドが用いられる。
【００５６】
scFvをコードするDNAは、前記抗体のＨ鎖またはＨ鎖Ｖ領域をコードするDNA、およびＬ鎖またはＬ鎖Ｖ領域をコードするDNAのうち、それらの配列のうちの全部または所望のアミノ酸配列をコードするDNA部分を鋳型とし、その両端を規定するプライマー対を用いてPCR法により増幅し、次いで、さらにペプチドリンカー部分をコードするDNA、およびその両端が各々Ｈ鎖、Ｌ鎖と連結されるように規定するプライマー対を組み合せて増幅することにより得られる。
【００５７】
また、一旦scFvをコードするDNAが作製されると、それらを含有する発現ベクター、および該発現ベクターにより形質転換された宿主を常法に従って得ることができ、また、その宿主を用いることにより、常法に従ってscFvを得ることができる。
【００５８】
これら抗体の断片は、前記と同様にしてその遺伝子を取得し発現させ、宿主により産生させることができる。本発明における「抗体」にはこれらの抗体の断片も包含される。
【００５９】
抗体の修飾物として、標識物質等の各種分子と結合した抗GPC3抗体を使用することもできる。本発明における「抗体」にはこれらの抗体修飾物も包含される。このような抗体修飾物は、得られた抗体に化学的な修飾を施すことによって得ることができる。なお、抗体の修飾方法はこの分野においてすでに確立されている。
【００６０】
さらに、本発明で使用される抗体は、二重特異性抗体（bispecific antibody）であってもよい。二重特異性抗体はGPC3分子上の異なるエピトープを認識する抗原結合部位を有する二重特異性抗体であってもよいし、一方の抗原結合部位がGPC3を認識し、他方の抗原結合部位が標識物質等を認識してもよい。二重特異性抗体は２種類の抗体のＨＬ対を結合させて作製することもできるし、異なるモノクローナル抗体を産生するハイブリドーマを融合させて二重特異性抗体産生融合細胞を作製し、得ることもできる。さらに、遺伝子工学的手法により二重特異性抗体を作製することも可能である。
【００６１】
前記のように構築した抗体遺伝子は、公知の方法により発現させ、取得することができる。哺乳類細胞の場合、常用される有用なプロモーター、発現させる抗体遺伝子、その３′側下流にポリＡシグナルを機能的に結合させて発現させることができる。例えばプロモーター／エンハンサーとしては、ヒトサイトメガロウイルス前期プロモーター／エンハンサー（human cytomegalovirus immediate early promoter/enhancer）を挙げることができる。
【００６２】
また、その他に本発明で使用される抗体発現に使用できるプロモーター／エンハンサーとして、レトロウイルス、ポリオーマウイルス、アデノウイルス、シミアンウイルス40（SV40）等のウイルスプロモーター／エンハンサー、あるいはヒトエロンゲーションファクター1a（HEF1a）などの哺乳類細胞由来のプロモーター／エンハンサー等が挙げられる。
【００６３】
SV40プロモーター／エンハンサーを使用する場合はMulliganらの方法（Nature（1979）277, 108）により、また、HEF1aプロモーター／エンハンサーを使用する場合はMizushimaらの方法（Nucleic Acids Res.（1990）18, 5322）により、容易に遺伝子発現を行うことができる。
【００６４】
大腸菌の場合、常用される有用なプロモーター、抗体分泌のためのシグナル配列および発現させる抗体遺伝子を機能的に結合させて当該遺伝子を発現させることができる。プロモーターとしては、例えばlaczプロモーター、araBプロモーターを挙げることができる。laczプロモーターを使用する場合はWardらの方法（Nature（1098）341, 544-546 ; FASEBJ.（1992）6, 2422-2427）により、あるいはaraBプロモーターを使用する場合はBetterらの方法（Science（1988）240, 1041-1043）により発現することができる。
【００６５】
抗体分泌のためのシグナル配列としては、大腸菌のペリプラズムに産生させる場合、pelBシグナル配列（Lei, S. P. et al J. Bacteriol.（1987）169, 4379）を使用すればよい。そして、ペリプラズムに産生された抗体を分離した後、抗体の構造を適切に組み直して（refold）使用する。
【００６６】
複製起源としては、SV40、ポリオーマウイルス、アデノウイルス、ウシパピローマウイルス（BPV）等の由来のものを用いることができ、さらに、宿主細胞系で遺伝子コピー数増幅のため、発現ベクターは、選択マーカーとしてアミノグリコシドトランスフェラーゼ（APH）遺伝子、チミジンキナーゼ（TK）遺伝子、大腸菌キサンチングアニンホスホリボシルトランスフェラーゼ（Ecogpt）遺伝子、ジヒドロ葉酸還元酵素（dhfr）遺伝子等を含むことができる。
【００６７】
本発明で使用される抗体の製造のために、任意の発現系、例えば真核細胞または原核細胞系を使用することができる。真核細胞としては、例えば樹立された哺乳類細胞系、昆虫細胞系、真糸状菌細胞および酵母細胞などの動物細胞等が挙げられ、原核細胞としては、例えば大腸菌細胞等の細菌細胞が挙げられる。
【００６８】
好ましくは、本発明で使用される抗体は、哺乳類細胞、例えばCHO、COS、ミエローマ、BHK、Vero、HeLa細胞中で発現される。
次に、形質転換された宿主細胞をin vitroまたはin vivoで培養して目的とする抗体を産生させる。宿主細胞の培養は公知の方法に従い行う。例えば、培養液として、DMEM、MEM、RPMI1640、IMDMを使用することができ、牛胎児血清（FCS）等の血清補液を併用することもできる。
【００６９】
前記のように発現、産生された抗体は、細胞、宿主動物から分離し均一にまで精製することができる。本発明で使用される抗体の分離、精製はアフィニティーカラムを用いて行うことができる。例えば、プロテインＡカラムを用いたカラムとして、Hyper D、POROS、Sepharose F.F.（Pharmacia製）等が挙げられる。その他、通常のタンパク質で使用されている分離、精製方法を使用すればよく、何ら限定されるものではない。例えば、上記アフィニティーカラム以外のクロマトグラフィーカラム、フィルター、限外濾過、塩析、透析等を適宜選択、組み合わせることにより、抗体を分離、精製することができる（Antibodies A Laboratory Manual. Ed Harlow, David Lane, Cold Spring Harbor Laboratory, 1988）。
【００７０】
本発明に使用される抗体のエピトープは特に限定されないが、全長GPC3またはそのペプチド断片を認識すれば良い。より具体的には、WO03/100429、WO2004/018667、WO2004/038420等に記載のハイブリドーマが産生するモノクローナル抗体およびポリクローナル抗体が利用できるが、実施例２および３にて作製したポリクローナル抗体およびモノクローナル抗体を使用するのが特に好ましい。
【００７１】
２．GPC3の測定
本発明において測定するGPC3は、ヘパラン硫酸などが付加されたGPC3タンパク質でも、GPC3コアタンパク質でもよい。
被検試料に含まれるGPC3の測定は、抗GPC3抗体を用いた免疫学的方法により測定される。免疫学的方法としては、例えば、ラジオイムノアッセイ、エンザイムイムノアッセイ、蛍光イムノアッセイ、発光イムノアッセイ、免疫沈降法、免疫比濁法、ウエスタンブロット、免疫染色、免疫拡散法などを挙げることができるが、好ましくはエンザイムイムノアッセイであり、特に好ましいのは酵素結合免疫吸着定量法(enzyme-linked immunosorbentassay：ELISA)（例えば、sandwich ELISA）である。ELISAなどの上述した免疫学的方法は当業者に公知の方法により行うことが可能である。
【００７２】
抗GPC3抗体を用いた一般的な測定方法としては、例えば、抗GPC3抗体を支持体に固定し、ここに被検試料を加え、インキュベートを行い抗GPC3抗体とGPC3タンパク質を結合させた後に洗浄して、抗GPC3抗体を介して支持体に結合したGPC3タンパク質を測定することにより、被検試料中のGPC3タンパク質の測定を行う方法を挙げることができる。
【００７３】
本発明において用いられる支持体としては、例えば、アガロース、セルロースなどの不溶性の多糖類、シリコーン樹脂、ポリスチレン樹脂、ポリアクリルアミド樹脂、ナイロン樹脂、ポリカーボネイト樹脂などの合成樹脂や、ガラスなどの不溶性の支持体を挙げることができる。これらの支持体は、ビーズやプレートなどの形状で用いることが可能である。ビーズの場合、これらが充填されたカラムなどを用いることができる。プレートの場合、マルチウェルプレート（96穴マルチウェルプレート等）、やバイオセンサーチップなどを用いることができる。抗GPC3抗体と支持体との結合は、化学結合や物理的な吸着などの通常用いられる方法により結合することができる。これらの支持体はすべて市販のものを用いることができる。
【００７４】
抗GPC3抗体とGPC3タンパク質との結合は、通常、緩衝液中で行われる。緩衝液としては、例えば、リン酸緩衝液、Tris緩衝液、クエン酸緩衝液、ホウ酸塩緩衝液、炭酸塩緩衝液、などが使用される。また、インキュベーションの条件としては、すでによく用いられている条件、例えば、４℃〜室温にて１時間〜24時間のインキュベーションが行われる。インキュベート後の洗浄は、GPC3タンパク質と抗GPC3抗体の結合を妨げないものであれば何でもよく、例えば、Tween20等の界面活性剤を含む緩衝液などが使用される。
【００７５】
本発明のGPC3タンパク質測定方法においては、GPC3タンパク質を測定したい被検試料の他に、コントロール試料を設置してもよい。コントロール試料としては、GPC3タンパク質を含まない陰性コントロール試料やGPC3タンパク質を含む陽性コントロール試料などがある。この場合、GPC3タンパク質を含まない陰性コントロール試料で得られた結果、GPC3タンパク質を含む陽性コントロール試料で得られた結果と比較することにより、被検試料中のGPC3タンパク質を測定することが可能である。また、濃度を段階的に変化させた一連のコントロール試料を調製し、各コントロール試料に対する測定結果を数値として得て、標準曲線を作成し、被検試料の数値から標準曲線に基づいて、被検試料に含まれるGPC3タンパク質を定量的に測定することも可能である。
【００７６】
抗GPC3抗体を介して支持体に結合したGPC3タンパク質の測定の好ましい態様として、標識物質で標識された抗GPC3抗体を用いる方法を挙げることができる。
【００７７】
例えば、支持体に固定された抗GPC3抗体に被検試料を接触させ、洗浄後に、GPC3タンパク質を特異的に認識する標識抗体を用いて測定する。
【００７８】
抗GPC3抗体の標識は通常知られている方法により行うことが可能である。標識物質としては、蛍光色素、酵素、補酵素、化学発光物質、放射性物質などの当業者に公知の標識物質を用いることが可能であり、具体的な例としては、ラジオアイソトープ(32P、14C、125I、3H、131Iなど)、フルオレセイン、ローダミン、ダンシルクロリド、ウンベリフェロン、ルシフェラーゼ、ペルオキシダーゼ、アルカリホスファターゼ、β−ガラクトシダーゼ、β−グルコシダーゼ、ホースラディッシュパーオキシダーゼ、グルコアミラーゼ、リゾチーム、サッカリドオキシダーゼ、マイクロペルオキシダーゼ、ビオチンなどを挙げることができる。標識物質としてビオチンを用いる場合には、ビオチン標識抗体を添加後に、アルカリホスファターゼなどの酵素を結合させたアビジンをさらに添加することが好ましい。標識物質と抗GPC3抗体との結合には、グルタルアルデヒド法、マレイミド法、ピリジルジスルフィド法、過ヨウ素酸法、などの公知の方法を用いることができる。
【００７９】
具体的には、抗GPC3抗体を含む溶液をプレートなどの支持体に加え、抗GPC3抗体を支持体に固定する。プレートを洗浄後、タンパク質の非特異的な結合を防ぐため、例えばBSA、ゼラチン、アルブミンなどでブロッキングする。再び洗浄し、被検試料をプレートに加える。インキュベートの後、洗浄し、標識抗GPC3抗体を加える。適度なインキュベーションの後、プレートを洗浄し、プレートに残った標識抗GPC3抗体を測定する。測定は当業者に公知の方法により行うことができ、例えば、放射性物質による標識の場合には液体シンチレーションやRIA法により測定することができる。酵素による標識の場合には基質を加え、基質の酵素的変化、例えば発色を吸光度計により測定することができる。基質の具体的な例としては、２，２−アジノビス（３−エチルベンゾチアゾリン−６−スルホン酸）ジアンモニウム塩（ABTS）、１，２−フェニレンジアミン（オルソ−フェニレンジアミン）、３，３′，５，５′−テトラメチルベンジジン（TME）などを挙げることができる。蛍光物質の場合には蛍光光度計により測定することができる。
【００８０】
本発明のGPC3タンパク質測定方法の特に好ましい態様として、ビオチンで標識された抗GPC3抗体およびアビジンを用いる方法を挙げることができる。
【００８１】
具体的には、抗GPC3抗体を含む溶液をプレートなどの支持体に加え、抗GPC3抗体を固定する。プレートを洗浄後、タンパク質の非特異的な結合を防ぐため、例えばBSAなどでブロッキングする。再び洗浄し、被検試料をプレートに加える。インキュベートの後、洗浄し、ビオチン標識抗GPC3抗体を加える。適度なインキュベーションの後、プレートを洗浄し、アルカリホスファターゼ、ペルオキシダーゼなどの酵素と結合したアビジンを加える。インキュベーション後、プレートを洗浄し、アビジンに結合している酵素に対応した基質を加え、基質の酵素的変化などを指標にGPC3タンパク質を測定する。
【００８２】
本発明のGPC3タンパク質測定方法の他の態様として、GPC3タンパク質を特異的に認識する一次抗体を一種類以上、および該一次抗体を特異的に認識する二次抗体を一種類以上用いる方法を挙げることができる。
【００８３】
例えば、支持体に固定された一種類以上の抗GPC3抗体に被検試料を接触させ、インキュベーションした後、洗浄し、洗浄後に結合しているGPC3タンパク質を、一次抗GPC3抗体および該一次抗体を特異的に認識する一種類以上の二次抗体により測定する。この場合、二次抗体は好ましくは標識物質により標識されている。
【００８４】
本発明のGPC3タンパク質の測定方法の他の態様としては、凝集反応を利用した測定方法を挙げることができる。該方法においては、抗GPC3抗体を感作した担体を用いてGPC3を測定することができる。抗体を感作する担体としては、不溶性で、非特異的な反応を起こさず、かつ安定である限り、いかなる担体を使用してもよい。例えば、ラテックス粒子、ベントナイト、コロジオン、カオリン、固定羊赤血球等を使用することができるが、ラテックス粒子を使用するのが好ましい。ラテックス粒子としては、例えば、ポリスチレンラテックス粒子、スチレン−ブタジエン共重合体ラテックス粒子、ポリビニルトルエンラテックス粒子等を使用することができるが、ポリスチレンラテックス粒子を使用するのが好ましい。感作した粒子を試料と混合し、一定時間攪拌する。試料中に抗GPC3抗体が高濃度で含まれるほど粒子の凝集度が大きくなるので、凝集を肉眼でみることによりGPC3を測定することができる。また、凝集による濁度を分光光度計等により測定することによってもGPC3を測定可能である。
【００８５】
本発明のGPC3タンパク質の測定方法の他の態様としては、例えば、表面プラズモン共鳴現象を利用したバイオセンサーを用いた方法を挙げることができる。表面プラズモン共鳴現象を利用したバイオセンサーはタンパク質−タンパク質間の相互作用を微量のタンパク質を用いてかつ標識することなく、表面プラズモン共鳴シグナルとしてリアルタイムに観察することが可能である。例えば、BIAcore（Pharmacia製）等のバイオセンサーを用いることによりGPC3タンパク質と抗GPC3抗体の結合を測定することが可能である。具体的には、抗GPC3抗体を固定化したセンサーチップに、被検試料を接触させ、抗GPC3抗体に結合するGPC3タンパク質を共鳴シグナルの変化として測定することができる。
【００８６】
本発明の測定方法は、種々の自動検査装置を用いて自動化することもでき、一度に大量の試料について検査を行うことも可能である。
【００８７】
本発明は、ユーイング肉腫原発巣、ユーイング肉腫転移組織、メラノーマ転移組織および肝癌転移組織から選ばれる癌の診断を目的とするが、該診断薬は少なくとも抗GPC3抗体を含む。該診断薬がELISA法に基づく場合は、抗体を固相化する担体を含んでいてもよく、抗体があらかじめ担体に結合していてもよい。該診断薬がラテックス等の担体を用いた凝集法に基づく場合は抗体が吸着した担体を含んでいてもよい。また、該診断薬は、適宜、ブロッキング溶液、反応溶液、反応停止液、試料を処理するための試薬等を含むキットとしてもよい。
【００８８】
原発ユーイング肉腫の診断には思春期の子供に異常な腫脹が認められた時に、血中GPC3濃度を測定すればよい。血中GPC3濃度が高ければユーイング肉腫であると診断される。
【００８９】
ユーイング肉腫、肝癌およびメラノーマの転移の診断においてはこれら原発癌治療前後の血中GPC3濃度を測定すればよい。血中GPC3濃度が手術により健常者レベルにまで低下した場合には、手術の成功と他臓器への転移がないと判定される。しかし、手術後であっても血中GPC3濃度が高い場合には他臓器への転移があると判定される。
【００９０】
さらに、本発明の抗GPC3抗体は、原発ユーイング肉腫および原発メラノーマの治療薬ならびにそれらの癌および肝癌からの転移癌の治療薬として、あるいは転移癌に特異的にターゲティングさせるミサイル療法において用いることができる。
【００９１】
本発明の治療薬は、当該技術分野においてよく知られる薬学的に許容しうる担体とともに、混合、溶解、顆粒化、錠剤化、乳化、カプセル封入、凍結乾燥等により、製剤化することができる。
【００９２】
経口投与用には、抗GPC3抗体を、薬学的に許容しうる溶媒、賦形剤、結合剤、安定化剤、分散剤等とともに、錠剤、丸薬、糖衣剤、軟カプセル、硬カプセル、溶液、懸濁液、乳剤、ゲル、シロップ、スラリー等の剤形に製剤化することができる。
【００９３】
非経口投与用には、抗GPC3抗体を、薬学的に許容しうる溶媒、賦形剤、結合剤、安定化剤、分散剤等とともに、注射用溶液、懸濁液、乳剤、クリーム剤、軟膏剤、吸入剤、座剤等の剤形に製剤化することができる。注射用の処方においては、抗GPC3抗体を水性溶液、好ましくはハンクス溶液、リンゲル溶液、または生理的食塩緩衝液等の生理学的に適合性の緩衝液中に溶解することができる。さらに、本発明の治療薬は、油性または水性のベヒクル中で、懸濁液、溶液、または乳濁液等の形状をとることができる。あるいは、抗GPC3抗体を粉体の形態で製造し、使用前に滅菌水等を用いて水溶液または懸濁液を調製してもよい。吸入による投与用には、抗GPC3抗体を粉末化し、ラクトースまたはデンプン等の適当な基剤とともに粉末混合物とすることができる。坐剤処方は、抗GPC3抗体をカカオバター等の慣用の坐剤基剤と混合することにより製造することができる。さらに、抗GPC3抗体は、ポリマーマトリクス等に封入して、持続放出用製剤として処方することができる。
【００９４】
本発明の治療薬の投与量および投与回数は、剤形および投与経路、ならびに患者の症状、年齢、体重によって異なるが、一般に、抗GPC3抗体として１日あたり体重１kgあたり、約０．００１mgから１０００mgの範囲、好ましくは約０．０１mgから１０mgの範囲となるよう、１日に１回から数回投与することができる。
【００９５】
本発明の治療薬は通常非経口投与経路で、例えば注射剤（皮下注、静注、筋注、腹腔内注など）、経皮、経粘膜、経鼻、経肺などで投与される。
【実施例】
【００９６】
以下に実施例により本発明をより詳細に説明するが、本発明はこれらの実施例により限定されるものではない。
【００９７】
実施例１  リコンビナントGPC3の取得
完全長ヒトGPC3 cDNAを含むプラスミドDNAを用い、ｆｌａｇ付加可溶型GPC3、すなわちリコンビナントGPC3 cDNA発現プラスミドDNAを構築した。Ｃ末端側の疎水領域（564-580アミノ酸）を除くように設計した下流プライマー（5'- ATA GAA TTC CAC CAT GGC CGG GAC CGT GCG C -3'（配列番号１））とEcoRI認識配列、Kozak配列を加えた上流プライマー（5'- ATA GGA TCC CTT CAG CGG GGA ATG AAC GTT C -3'（配列番号２）を用いてPCRを行った。得られたPCR断片(1711bp)をpCXND2-Flagにクローニングした。作製された発現プラスミドDNAをCHO細胞DXB11株へ導入し、500μg/mL Geneticin での選抜により、可溶型GPC3高発現CHO株を得た。
【００９８】
1700 cm2ローラーボトルを用いｆｌａｇ付加可溶型GPC3高発現CHO株の大量培養を行い、培養上清を回収し精製を行った。培養上清をDEAE Sepharose Fast Flow (Amersham CAT# 17-0709-01)にチャージし、洗浄後、500mM NaClを含むバッファーにより溶出した。次に、Anti-Flag M2 agarose affinity gel（SIGMA CAT#A-2220）を用いてアフィニティー精製を行った。溶出は200μg/mLのFLAGペプチドにより行った。Centriprep-10(Millipore CAT#4304)による濃縮後、Superdex 200 HR 10/30(Amersham CAT# 17-1088-01)によるゲルろ過を行いFLAGペプチドを除去した。最後にDEAE Sepharose Fast Flowカラムを用いて濃縮し、同時にTween20を含まないPBS（500mMのNaClを含む）で溶出を行うことによりバッファー置換を行うことにより、可溶性リコンビナントGPC3を得た。
【００９９】
実施例２  抗可溶性GPC3ポリクローナル抗体の作製
リコンビナントGPC3を用いて、モルモットポリクローナル抗体の作製を行った。作製には、公知の方法を用いた。GPC3を、アジュバントを用いてエマルジョン化したものを皮下に投与し、免疫を行った。これを数回繰り返し、抗体価が上昇したのを確認した後、採血を行い、血清を得た後、硫安沈殿によりポリクローナル抗体（PPMX042)を取得した。
【０１００】
実施例３  抗GPC3モノクローナル抗体の作製
Balb/Cマウス (CRL)５匹にGPC3を免疫した。初回免疫には免疫タンパク質を100μg/匹となるように調製し、FCA（フロイント完全アジュバント（H37 Ra）、Difco（3113-60）、ベクトンディッキンソン（cat#231131））を用いてエマルジョン化したものを皮下に投与した。２週間後に50μg/匹となるように調製したものをFIA（フロイント不完全アジュバント、Difco（0639-60）、ベクトンディッキンソン（cat#263910））でエマルジョン化したものを皮下に投与した。以降１週間間隔で追加免疫を合計５回行った。最終免疫については50μg/匹となるようにPBSに希釈し尾静脈内に投与した。GPC3コアタンパク質をコートしたイムノプレートを用いたELISAによりGPC3に対する血清中の抗体価が飽和しているのを確認後、マウスミエローマ細胞P3U1とマウス脾臓細胞を混合し、PEG1500（ロシュ・ダイアグノスティック、cat#783 641）により細胞融合を行った。96穴培養プレートに播種し、翌日よりHAT培地で選択後培養上清をELISAでスクリーニングした。陽性クローンについては限界希釈法によりモノクローン化した後、拡大培養を行い培養上清を回収した。ELISAによるスクリーニングは、GPC3コアタンパク質との結合活性を指標に行い、強い結合能を有する抗可溶性GPC3モノクローナル抗体を得た。
【０１０１】
抗体の精製はHi Trap ProteinG HP(Amersham CAT#17-0404-01)を用いて行った。ハイブリドーマ培養上清を直接カラムにチャージし、結合バッファー（20mM リン酸ナトリウム (pH7.0)）にて洗浄後、溶出バッファー（0.1M グリシン-HCl (pH2.7)）で溶出した。溶出は中和バッファー（1M Tris-HCl(pH9.0)）を加えたチューブに行い直ちに中和した。抗体画分をプールした後、0.05％Tween20／PBSで一昼夜透析を行いバッファー置換した。精製された抗体は0.02%となるようにNaN3を添加した後、4℃で保管した。
得られたハイブリドーマは、PPMX008、PPMX009、PPMX0010およびPPMX031と命名した。
なお、複数得られたハイブリドーマのうち以下に示すELISAにて高感度・特異性に優れたPPMX009をM18D04と命名し、独立行政法人産業技術総合研究所  特許生物寄託センターに寄託した（FERM  P-20205）。
【０１０２】
実施例４  抗可溶性GPC3モノクローナル抗体の解析
抗体濃度はヤギ抗マウス IgG (gamma) (ZYMED CAT# 62-6600)とアルカリフォスファターゼ−ヤギ抗マウス IgG (gamma)(ZYMED CAT# 62-6622)を用いたマウスIgGサンドイッチELISAを行い、市販の精製マウスIgG1抗体（ZYMED CAT#02-6100）をスタンダードとして定量した。
抗可溶性GPC3モノクローナル抗体のアイソタイピングは、ImmunoPure Monoclonal Antibody Isotyping Kit II (PIERCE CAT# 37502)を用い、方法は添付のマニュアルに従った。アイソタイピングの結果全てIgG1タイプであった。
【０１０３】
実施例５  サンドイッチELISA系の構築
血中のGPC3を測定するため、GPC3のサンドイッチELISA系を多数構築し、感度および特異性に優れた測定系を選択した。最も優れた結果は、ポリクローナル抗体であるPPMX042抗体を96ウェルプレートにコートし、M18D04抗体をビオチンで標識した系であった。尚、発色には高い測定感度を達成するためScytek社のTMBを用いた。
【０１０４】
96ウェルイムノプレートに10μg/mLとなるように抗GPC3モノクローナル抗体あるいはポリクローナル抗体をＰＢＳ（−）で希釈したものをコートし、４℃で一晩インキュベートした。翌日300μL/wellのPBSで3回洗浄後、ABI社のイムノアッセイスタビライザー（ABI #10-601-001）を150μL加え、ブロッキングを行った。室温で数時間後、あるいは４℃で一晩保管後、精製タンパク質、ヒト血清などを、動物血清などを含む希釈バッファー（50mM Tris-HCl pH 8.0, 0.15M NaCl）で適当に希釈したものを加え２時間室温でインキュベートした。次いで、動物血清などを含むPBS（−）で20μg/mLとなるように希釈したビオチン標識した抗可溶性GPC3モノクローナル抗体あるいはポリクローナル抗体を加え２時間室温でインキュベートした。反応液を捨てた後、動物血清を適当量含んだCygnus社のStab-ELISA-r (Cygnus #I-030)を用いて、Vector社のストレプトアビジン-HRPO (Vector #SA-5004) を3 ug/mLに希釈したものを加え、0.5時間室温でインキュベートした。300μL/wellの洗浄バッファーで5回洗浄した後、添付のプロトコールに従いScytek社のTMB (Cat#TM4999)を用いて発色させ、マイクロプレートリーダーで吸光度を測定した。
【０１０５】
抗体のビオチン化にはPierce社のSulfo-NHS-LC-Biotin (CAT# 21335)を用いた。また、サンプル中の可溶性GPC3濃度の換算には、表計算ソフトGlaphPad PRISM(GlaphPad software Inc. ver.3.0)を用いて解析した。精製可溶性GPC3を用いてスタンダードカーブを作製した結果、標準品未添加時吸光度が低いのみならずGPC3添加時の吸光度が高い測定系を構築することができた。
【０１０６】
実施例６  肝癌の転移の早期診断
血中GPC3濃度と、肝癌原発巣手術後及び肝動脈塞栓術後の肝癌の転移の有無の関連を、実施例５に記載のサンドイッチELISA系で調べた。
【０１０７】
【表１】
2007093274.tif 000002
【０１０８】
症例１、２および３は肺への転移例である。症例１は、肝癌手術後約２ヵ月後に肺への転移が認められたため、肺の癌摘出手術をしたが、約４ヶ月後に肝臓に再発した。
症例２は、肝癌手術後約３ヵ月後に肺への転移が認められ、転移先の肺で癌が進行した。症例３は、症例１と同様な経過であったが、肺への転移が約３ヶ月後、肝臓での再発が約１年後であった。
一方、症例４、５および６は、転移を認めなかった症例である。それぞれ59日、126日、および327日後において転移が認められなかった。
【０１０９】
肝癌の症例６例において、肝癌手術前および手術後に経時的に採血し、それぞれ血中のGPC3濃度を測定した(0.4ng/mL以上を肝癌陽性と判定)。その結果、手術後及び肝動脈塞栓術後に血中のGPC3濃度が低下した患者（n=3）では癌転移がみられなかった。一方、手術後に血中GPC3濃度が増加あるいは変動の少ない患者(n=3)では、後日癌転移が確認された。
【０１１０】
この結果から、手術後の血中GPC3濃度を測定することにより、癌転移の有無を、従来の方法より早期に診断できることが示唆された。
【配列表】
2007093274000001.app